(57)【要約】【課題】  この発明は、映像調整メニューで最後に選択された調整項目を次回、最上位に表示されるようにし、ユーザの使い勝手を向上させることを目的とする。【解決手段】  複数の項目からなる調整メニューをメモリ部（３６）に記憶された順序に基づいて映像表示部１４へ表示する調整メニュー表示手段（３５）と、最後に選択された調整項目を調整メニューの最上位に表示されるようにメモリ部（３６）に記憶する調整項目記憶手段（３５）と、を備えるように構成している。【選択図】    図５
2007087071.tif 000002
【特許請求の範囲】
【請求項１】
映像表示部へ表示する映像の調製が可能な映像表示装置において、
前記映像の調製を可能にするための複数の項目からなる調整メニューを予めメモリ部に記憶された順序に基づいて映像表示部へ表示する調整メニュー表示手段と、
前記表示された調整メニューの中から、最後に選択された調整項目を前記調整メニューの最上位に表示されるように前記メモリ部に記憶する調整項目記憶手段を備えたことを特徴とする映像表示装置。
【請求項２】
映像表示部へ表示する映像の調製が可能な映像表示装置において、
前記映像の調製を可能にするための複数の項目からなる調整メニューを予めメモリ部に記憶された順序に基づいて映像表示部へ表示する調整メニュー表示手段と、
前記表示された調整メニューの中から、一連の動作で最後に選択された調整項目を前記調整メニューの最上位に表示されるように前記メモリ部に記憶する調整項目記憶手段を備えることを特徴とする映像表示装置。
【請求項３】
映像表示部へ表示する映像の調製が可能な映像表示装置において、
前記映像の調製を可能にするための複数の項目からなる調整メニューを予めメモリ部に記憶された順序に基づいて映像表示部へ表示する調整メニュー表示手段と、
前記表示された調整メニューの中から、最後に選択された調整項目を前記調整メニューの最上位に表示されるように前記メモリ部に記憶する調整項目記憶手段を備え、前記調整メニュー表示手段は前記メモリ部に記憶された最後に選択された調整項目を前記調整メニューの最上位に表示することを特徴とする映像表示装置。
【請求項４】
前記調整項目記憶手段はユーザ調整メニューの表示ＯＦＦ動作に応じて最後に選択された調整項目を前記調整メニューの最上位に表示されるように前記メモリ部に記憶することを特徴とする請求項１乃至３に記載の映像表示装置。
【請求項５】
映像の調製を可能にするための複数の項目からなる調整メニューをメモリ部に記憶された順序に基づいて映像表示部へ表示するステップと、
前記表示された調整メニューの中から、最後に選択された調整項目を前記調整メニューの最上位に表示されるように前記メモリ部に記憶するステップを備えることを特徴とする映像表示方法。
【請求項６】
映像の調製を可能にするための複数の項目からなる調整メニューを予めメモリ部に記憶された順序に基づいて映像表示部へ表示するステップと、
前記表示された調整メニューの中から、最後に選択された調整項目を前記調整メニューの最上位に表示されるように前記メモリ部に記憶するステップと、
前記メモリ部に記憶された最後に選択された調整項目が前記調整メニューの最上位となるように表示するステップを備えることを特徴とする映像表示方法。
【発明の詳細な説明】
【技術分野】
【０００１】
この発明は、例えばデジタルテレビジョン放送受信装置のような映像表示装置に関し、特に映像表示部へ表示する映像の調製が可能な映像表示装置に関する。
【背景技術】
【０００２】
特許文献１には、メニュー設定操作が終了された後、再びメニュー設定操作が開始されると前回のメニュー設定操作において最後に表示されたメニュー項目を表示部に表示する技術が開示されている。
【０００３】
しかしながら、メニュー項目を表示するので、ユーザの使い勝手を良くするに所定のカテゴリーに分類された調整メニューとは独立してしまい、必ずしも使い勝手が良くなるとは言えなかった。
【特許文献１】特開２００２−３２３９４６号公報
【発明の開示】
【発明が解決しようとする課題】
【０００４】
そこで、この発明は上記事情を考慮してなされたもので、調整メニューの中で最後に選択された調整項目を次回表示される調整メニューの最上位に表示されるようにし、ユーザの使い勝手を良くすることを目的としている。
【課題を解決するための手段】
【０００５】
この発明に係る映像表示装置は、映像の調製を可能にするための複数の項目からなる調整メニューを予めメモリ部に記憶された順序に基づいて映像表示部へ表示する調整メニュー表示手段と、表示された調整メニューの中から、最後に選択された調整項目を調整メニューの最上位に表示されるようにメモリ部に記憶する調整項目記憶手段を備えるように構成している。
【０００６】
また、この発明に係る映像表示方法は、映像の調製を可能にするための複数の項目からなる調整メニューをメモリ部に記憶された順序に基づいて映像表示部へ表示するステップと、表示された調整メニューの中から、最後に選択された調整項目を調整メニューの最上位に表示されるようにメモリ部に記憶するステップを備えるように構成している。
【発明の効果】
【０００７】
上記のように構成することによって、映像調整メニューの中で最後に選択された調整項目を次回表示される調整メニューの最上位に表示されるようにし、ユーザの使い勝手を良くするという効果がある。また、最後に選択された映像調整項目を順次、最上位に表示するように構成することによって、ユーザがこの発明に係る映像調整を何度か行うことで、ユーザの使用頻度の高い映像調整項目が調整メニューの上位に、ユーザの使用頻度の高くない映像調整項目が下位に表示されるようになるという効果がある。また、最後に選択された映像調整項目を調整メニューの最上位に表示されるようにメモリ部に記憶することで、ユーザの映像調整に要する操作時間を短縮させることが可能となるという効果がある。
【発明を実施するための最良の形態】
【０００８】
以下、この発明の実施の形態について図面を参照して詳細に説明する。
【０００９】
図１は、この実施の形態で説明するテレビジョン放送受信装置１１の正面側の外観を示す図である。すなわち、このテレビジョン放送受信装置１１は、主として、装置本体となるほぼ四角形状に形成された薄型のキャビネット１２と、このキャビネット１２を起立させて支持するスタンド１３とから構成されている。
【００１０】
そして、上記キャビネット１２には、その正面に、例えば平面型液晶表示パネル等でなる映像表示器（映像表示部）１４の表示画面１４ａが露出されるとともに、一対のスピーカ１５、操作部１６、後述するリモートコントローラ（図１では図示せず）１７から送信される操作情報を受けるための受光部１８等が配置されている。
【００１１】
また、上記スタンド１３は、ほぼ薄型の箱状に形成されており、その一方の平面である底面板１３ａを、水平に設置された所定の基台（図示せず）上に載置するように構成されている。そして、このスタンド１３は、上記基台上に載置される面と反対側の面である上面板１３ｂのほぼ中央部から上方に突出する支持部材１９が、上記キャビネット１２の背面に連結されることにより、キャビネット１２を起立させた状態で支持している。
【００１２】
ここで、上記スタンド１３は、その内部に後述するＨＤＤユニット（図１では図示せず）２０を収容可能となされている。そして、このスタンド１３の上面板１３ｂには、キャビネット１２よりも正面側にせり出している部分に、ＨＤＤユニット２０を記録、再生、停止状態等に制御するための、押圧操作可能な複数（図示の場合は４つ）の操作子２１が配置されている。
【００１３】
図２は、この発明の実施の形態で説明するテレビジョン放送受信装置１１の信号処理系を概略的に示している。この信号処理系を構成する各種の回路ブロックは、主として、上記キャビネット１２の内部で背面に近い位置、つまり、上記映像表示器１４の表示画面１４ａの裏側あたりに配置されている。
【００１４】
そして、デジタルテレビジョン放送受信用のアンテナ２２で受信したデジタルテレビジョン放送信号は、入力端子２３を介してチューナ部２４に供給される。このチューナ部２４は、入力されたデジタルテレビジョン放送信号から所望のチャンネルの信号を選局し復調している。そして、このチューナ部２４から出力された信号は、デコーダ部２５に供給されて、例えばＭＰＥＧ（moving picture experts group）２デコード処理が施された後、セレクタ２６に供給される。
【００１５】
さらに、アナログテレビジョン放送受信用のアンテナ２７で受信したアナログテレビジョン放送信号は、入力端子２８を介してチューナ部２９に供給される。このチューナ部２９は、入力されたアナログテレビジョン放送信号から所望のチャンネルの信号を選局し復調している。そして、このチューナ部２９から出力された信号は、Ａ／Ｄ（analog／digital）変換部３０によりデジタル化された後、上記セレクタ２６に出力される。
【００１６】
また、アナログ信号用の入力端子３１に供給されたアナログの映像及び音声信号は、Ａ／Ｄ変換部３２に供給されてデジタル化された後、上記セレクタ２６に出力される。さらに、デジタル信号用の入力端子３３に供給されたデジタルの映像及び音声信号は、そのまま上記セレクタ２６に供給される。
【００１７】
上記セレクタ２６は、４種類の入力デジタル映像及び音声信号から１つを選択して、信号処理部３４に供給している。この信号処理部３４は、入力されたデジタル映像信号に所定の信号処理を施して上記映像表示器１４での映像表示に供させている。この映像表示部１４としては、例えば、液晶ディスプレイやプラズマディスプレイ等でなるフラットパネルディスプレイが採用される。また、上記信号処理部３４は、入力されたデジタル音声信号に所定の信号処理を施し、アナログ化して上記スピーカ１５に出力することにより、音声再生を行なっている。
【００１８】
ここで、このテレビジョン放送受信装置１１は、上記した各種の受信動作を含む種々の動作を制御部３５によって統括的に制御されている。この制御部３５は、ＣＰＵ（central processing unit）等を内蔵したマイクロプロセッサであり、上記操作部１６や操作子２１（図２では図示せず）からの操作情報、または、上記リモートコントローラ１７から送信された操作情報を、受光部１８を介して受けることにより、その操作内容が反映されるように各部をそれぞれ制御している。
【００１９】
ここでは、制御部３５は、メモリ部３６を使用している。このメモリ部３６は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。
【００２０】
ここで、上記制御部３５は、スタンド１３内に収容されたＨＤＤユニット２０と接続されている。この場合、制御部３５からＨＤＤユニット２０に電源電力及び制御信号の供給を行なうライン３７は、接続部３８を介して制御部２６とＨＤＤユニット２０とを接続している。
【００２１】
また、制御部３５とＨＤＤユニット２０との間でデジタル映像及び音声信号を授受するライン３９は、ｉ．Link接続部４０を介して制御部３５とＨＤＤユニット２０とを接続している。すなわち、制御部３５とＨＤＤユニット２０との間でのデジタル映像及び音声信号の伝送は、電源及び制御信号とは別個にｉ．Linkによって行なわれる。
【００２２】
そして、上記テレビジョン放送受信装置１１は、セレクタ２６で選択されたデジタルの映像及び音声信号を、ＨＤＤユニット２０により記録することができるとともに、ＨＤＤユニット２０に記録されたデジタルの映像及び音声信号を再生し、視聴に供させることができる。
【００２３】
また、制御部３５は、予めメモリ部３６または制御部３５内に設けられたメモリに記憶された順序に基づいて、映像の調製を可能にするための複数の項目からなる調整メニューを映像表示部１４へ表示するよう制御する（調整メニュー表示手段）。
【００２４】
また、後述するように、映像表示部１４へ表示された調整メニューの中から、最後に選択された調整項目を調整メニューの最上位に表示されるようにメモリ部３６等に記憶する（調整項目記憶手段）。
【００２５】
図３は、この発明の実施の形態で説明する映像調整メニュー表示の一例を示す図である。上記説明したように、複数の映像調整項目の表示順序が予めメモリ部３６または制御部３５内に設けられたメモリに記憶されている。そして、メモリに記憶されている表示順序に基づいて、映像の調製を可能にするための複数の項目からなる映像調整メニューが映像表示部１４へ表示される。
【００２６】
ここでは、項目１はバックライト調整、項目２はコントラスト調整、項目３はカラーレベル調整、項目４はティントレベル調整、項目５はシャープネス調整の順に表示するようメモリに記憶されており、この表示順序に基づいて、複数の項目からなる映像調整メニューが映像表示部１４へ表示される。
【００２７】
図４は、この発明の実施の形態で説明する最後に選択された調整項目が調整メニューの最上位に表示される映像調整メニュー表示の一例を示す図である。
【００２８】
例えば図３に示す調整メニューの中から、最後に選択された調整項目を調整メニューの最上位に表示されるようにメモリ部３６等に記憶し、この記憶に基づいて映像調整メニューが表示される。
【００２９】
ここでは、最後に選択された調整項目はシャープネス調整である。そして、映像調整メニューの表示は、項目１はシャープネス調整、項目２はバックライト調整、項目３はコントラスト調整、項目４はカラーレベル調整、項目５はティントレベル調整、の順に複数の項目からなる映像調整メニューが映像表示部１４へ表示される。
【００３０】
図５は、この発明の実施の形態におけるテレビジョン放送受信装置の映像調整メニューの表示順序の変更に係る動作を説明するフローチャートである。ここでの表示順序の変更は最後に選択された調整項目が調整メニューの最上位に表示されるようにしている。
【００３１】
符号１０１はここでの開始ステップである。続いて符合１０２を付したステップへ進む。
【００３２】
符号１０２はユーザ調整メニュー表示が指示されたか否かを判断するステップである。例えば、ユーザがリモートコントローラ１７または操作部１６を操作し、ユーザ調整メニュー表示を指示したか否かを制御部３５が判断する。ユーザ調整メニュー表示が指示されたと判断された場合は符合１０３を付したステップへ進む（Ｙｅｓ）。ユーザ調整メニュー表示が指示されたと判断されない場合はここでの処理が繰り返される（Ｎｏ）。
【００３３】
符号１０３はメモリ部（メモリ部３６等）に記憶された順序に基づいてユーザ調整メニューを表示するステップである。続いて符合１０４を付したステップへ進む。
【００３４】
符号１０４は映像表示部１４に表示された複数の調整項目からなる映像調整メニューの中からユーザによって、所定の項目（例：シャープネス（SHARPNESS））が選択されるステップである。ユーザは例えばリモートコントローラ１７または操作部１６を操作する。続いて符合１０５を付したステップへ進む。
【００３５】
符号１０５はユーザによって選択されたシャープネス（SHARPNESS）の調整が実行されるステップである。続いて符合１０６を付したステップへ進む。
【００３６】
符号１０６は最後に選択された調整項目を検出するステップである。ここではリモートコントローラ１７または操作部１６のユーザ操作によって、映像調整メニューの表示が指示された際に選択されていた調整項目（ここではシャープネス（SHARPNESS））を最後に選択された調整項目として検出する。続いて符合１０７を付したステップへ進む。
【００３７】
符号１０７は上記最後に選択された調整項目（ここではシャープネス（SHARPNESS））が映像調整メニューの最上位に表示されるようにメモリ部３６等へ記憶するステップである。続いて符合１０３を付したステップへ進み、上記処理が繰り返される。
【００３８】
上記のように、最後に選択された映像調整項目を順次、最上位に表示するように構成することによって、ユーザがこの発明に係る映像調整を何度か行うことで、ユーザの使用頻度の高い映像調整項目が調整メニューの上位に、ユーザの使用頻度の高くない映像調整項目が下位に表示されるようになる。
【００３９】
上述したように、この発明は、映像の調製を可能にするための複数の項目からなる調整メニューを映像表示部１４へ表示する調整メニュー表示手段３５と、表示された調整メニューの中から、最後に選択された調整項目を調整メニューの最上位に表示されるようにメモリ部３６に記憶する調整項目記憶手段と、を備えるように構成している。
【００４０】
上記のように構成することによって、映像調整メニューの中で最後に選択された調整項目を次回表示される調整メニューの最上位に表示されるようにし、ユーザの使い勝手を良くするという効果がある。また、最後に選択された映像調整項目を順次、最上位に表示するように構成することによって、ユーザがこの発明に係る映像調整を何度か行うことで、ユーザの使用頻度の高い映像調整項目が調整メニューの上位に、ユーザの使用頻度の高くない映像調整項目が下位に表示されるようになるという効果がある。また、最後に選択された映像調整項目を調整メニューの最上位に表示されるようにメモリ部に記憶することで、ユーザの映像調整に要する操作時間を短縮させることが可能となるという効果がある。
【００４１】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４２】
【図１】この実施の形態で説明するテレビジョン放送受信装置外観を示す図。
【図２】同実施の形態におけるテレビジョン放送受信装置の信号処理系を説明するブロック構成図。
【図３】同実施の形態で説明する映像調整メニュー表示の一例を示す図。
【図４】同実施の形態で説明する最後に選択された調整項目が調整メニューの最上位に表示される映像調整メニュー表示の一例を示す図。
【図５】同実施の形態におけるテレビジョン放送受信装置の映像調整メニューの表示順序の変更に係る動作を説明するフローチャート
【符号の説明】
【００４３】
１１…テレビジョン放送受信装置、１２…キャビネット、１４…映像表示器（映像表示部）、１５…スピーカ、１６…操作部、１７…リモートコントローラ、１８…受光部、２０…ＨＤＤユニット（記録手段）、２２…アンテナ、２３…入力端子、２４…チューナ部、２５…デコーダ部、２６…セレクタ、２７…アンテナ、２８…入力端子、２９…チューナ部、３０…Ａ／D変換部、３１…入力端子、３２…Ａ／Ｄ変換部、３３…入力端子、３４…信号処理部、３５…制御部、３６…メモリ部、３７…ライン、３８…接続部、３９…ライン、４０…ｉ．Link接続部。
【図１】
2007087071.tif 000003
【図２】
2007087071.tif 000004
【図３】
2007087071.tif 000005
【図４】
2007087071.tif 000006
【図５】
2007087071.tif 000007